(57)【要約】      （修正有）【課題】給餌や水替え、水槽の清掃等のメンテナンスを不要とし、病院や介護施設等への設置も可能となる、薄型ディスプレイモニタやデジタルフォトフレーム等の表示装置と動画再生装置を利用した動画電子水槽装置を提供する。【解決手段】動画電子水槽装置は、実際のアクアリウム水槽を高精細ビデオカメラで撮影し、映像をコンピュータへ取り込みデジタル処理を施し、動画再生装置３に取り込み、動画再生装置から薄型ディスプレイモニタやデジタルフォトフレーム等の表示装置２へ映像を映し出すように構成される。また必要に応じて表示装置へ時刻やカレンダー、メッセージ等を表示するよう構成される。デジタルフォトフレームを使用するにあたっては、インテリアの要素も持ち、卓上で使用することも可能である。【選択図】図１
0003226818.tif 000002
【実用新案登録請求の範囲】
【請求項１】
動画再生装置から薄型ディスプレイモニタやデジタルフォトフレーム等の表示装置へアクアリウムの映像を表示し、水槽のかわりとして、実際の水槽が使用されるあらゆるシーンで活用することを特徴とする動画電子水槽装置。
【請求項２】
動画再生装置から薄型ディスプレイモニタやデジタルフォトフレーム等の表示装置へアクアリウムの映像を表示し、時計やカレンダー、メッセージ等付加機能を盛り込み、日常生活のあらゆるシーンで活用されることを特徴とする請求項１記載の動画電子水槽装置。
【請求項３】
動画再生装置から薄型ディスプレイモニタやデジタルフォトフレーム等の表示装置へアクアリウムの映像を表示し、インテリアとして活用することを特徴とする請求項１から２のいずれか１項に記載の動画電子水槽装置。
【考案の詳細な説明】
【技術分野】
【０００１】  本考案は、薄型ディスプレイモニタやデジタルフォトフレーム等の表示装置と動画再生装置を利用し、動画再生装置から薄型ディスプレイモニタやデジタルフォトフレーム等の表示装置へアクアリウムの映像を表示する、動画電子水槽装置に関する。
【背景技術】
【０００２】  従来の物理的なアクアリウム水槽は、一部の愛好者に限定され、趣味の意味合いが強いと思われているが、特徴として、精神的、身体的に与える癒しや安らぎの効果を備えている。
【考案の概要】
【考案が解決しようとする課題】
【０００３】一般的に物理的なアクアリウム水槽では、魚の給餌や水替え、水草の栄養補給、水槽の清掃等、メンテナンスに非常に手間が掛かるうえ、コストも掛かる。そのため、本来アクアリウムが持つ、癒しや安らぎの効果は、病院や介護施設などに向いているが、衛生面やメンテナンスの面から、設置したい場所ほど、その設置が困難であるという問題点があった。【０００４】本考案では、どのような場所、あらゆるシーンでもアクアリウムの効果を得る事が出来る動画電子水槽装置を提供する。
【課題を解決するための手段】
【０００５】本考案が開示する動画電子水槽装置は、実際のアクアリウム水槽を高精細ビデオカメラで撮影し、コンピュータへ取り込みデジタル処理を行い、動画再生装置から薄型ディスプレイモニタやデジタルフォトフレーム等の表示装置へアクアリウムの映像を表示する。従来の煩雑なメンテナンスやコスト的な問題を無くし、設置場所を選ばずに設置出来る機能を備えている。【０００６】上記の動画電子水槽装置では、撮影した映像をコンピュータへ取り込みデジタル処理を施す過程や、動画再生装置へ組み込む過程で、カレンダーや時計、メッセージ等、日常的に利用可能な機能も付加することができ、利用範囲を拡大することが出来る。
【考案の効果】
【０００７】  上記の動画電子水槽装置は、薄型ディスプレイモニタやデジタルフォトフレーム等の表示装置を設置出来る場所なら、何処でも設置出来、日常的なあらゆるシーンで使用可能な形態になるものである。また、病院や介護施設等のアクアリウムセラピーとしての利用や、商業施設やデパート、ビルやホテルのエントランスといった一般的に水槽を設置するのに困難であった場所に設置することができる。また、カレンダーや時計、メッセージ表示機能等と一緒に用いることができ、今までのアクアリウム水槽の設置場所以外にも、使用される範囲を広めるものである。
【図面の簡単な説明】
【０００８】
【図１】〜
【図２】本考案の実施形態の動画電子水槽装置の構成を示す装置外装図とフローチャートである。
【考案を実施するための形態】
【０００９】本実施例に係る動画電子水槽装置について、図面を参照しながら説明する。図２のフローチャートに示すように、実際のアクアリウム水槽を高精細ビデオカメラで撮影し、撮影された映像を、コンピュータへ取り込み、デジタル処理を施す。デジタル処理された映像データを動画再生装置へ組み込み、図１に示すように、薄型ディスプレイモニタやデジタルフォトフレーム等の表示装置へ表示する。組み込み時に付加機能として、時計やカレンダー、メッセージ表示機能などを組み込むタイプも利用可能である。また、動画再生装置内蔵型薄型ディスプレイモニタは、非常に薄くて軽い構造を利用し、壁掛け型で設置が可能である。デジタルフォトフレームは小型で安価なものがあるため、手軽に利用できる。
【００１０】上記の通り、本実施例では電子看板の端的なコンテンツとして、また、デジタルフォトフレームの手軽な利用コンテンツとして、あらゆるシーンでの利用が可能となる。デパートやビル、ホテルのエントランス、企業の受付など、接客業の業種向けに、また、アクアリウムセラピーとして、病院や介護施設などの医療機関向けに、使用することができる。
【００１１】本考案はアクアリウム映像の他、海や山、川等の自然風景や海中や川の中等を高精細ビデオカメラで撮影し、その映像をコンピュータへ取り込みデジタル処理し、動画再生装置へ組み込み、薄型ディスプレイモニタやデジタルフォトフレーム等の表示装置へ表示する、電子看板としても利用できる。
【００１２】本考案は、薄型ディスプレイモニタやデジタルフォトフレーム等の表示装置について、３．５インチの小型のサイズから７５インチの大型サイズ、またはそれ以上の超大型サイズまで幅広く対応する物である。
【００１３】本明細書または図面に説明した技術要素は、単独であるいは各種の組み合わせによって技術的有用性を発揮するものであり、出願時請求項記載の組み合わせに限定されるものではない。また、本明細書または図面に例示した技術は複数目的を同時に達成するものであり、そのうち一つの目的を達成すること自体で技術的有用性を持つものである。
【符号の説明】
【００１２】１  筐体
２  薄型ディスプレイモニタ（表示装置）
３  動画再生装置
４  動画再生装置内蔵型薄型ディスプレイモニタ（表示装置）
５  デジタルフォトフレーム（動画再生装置付き表示装置）
【図１】
0003226818.tif 000003
【図２】
0003226818.tif 000004
【手続補正書】
【提出日】令和2年2月21日(2020.2.21)
【手続補正１】
【補正対象書類名】実用新案登録請求の範囲
【補正対象項目名】全文
【補正方法】変更
【補正の内容】
【実用新案登録請求の範囲】
【請求項１】
実際のアクアリウム水槽を高精細ビデオカメラで撮影し、撮影された映像をコンピュータに取り込み、デジタル処理を施した映像データであって、前記映像データを動画再生装置に取り込み、動画再生装置から薄型ディスプレイモニタやデジタルフォトフレーム等の表示装置にアクアリウム映像を表示することを特徴とする動画電子水槽装置。
【請求項２】
前記アクアリウム映像を表示中に、表示画面の上部右側へ時計を表示、もしくは表示画面の右側へカレンダーを表示、もしくは表示画面の下部へメッセージを表示することを特徴とする請求項１記載の動画電子水槽装置。